(57)【要約】【課題】足が地面に接地する際の初期接地を安定させることができる靴下を提供する。【解決手段】靴下は、装着者の足に装着可能なものであって、装着者の足の底部に沿う足底部１と、装着者の足の甲部に沿う足甲部２と、装着者の足の踵を受け入れる踵部３とを備えている。踵部３は、本体部３１と、本体部３１から足甲部２に対して反対側に突出する突出部３２とを含んでいる。足甲部２に足底部１が重なる方向から見た突出部３２の面積は、靴下の幅Ｗ方向の中心Ｃ１に対して、装着者の足の内側よりも外側が大きくなっている。【選択図】図１
2014237911.tif 000002
【特許請求の範囲】
【請求項１】
装着者の足に装着可能な靴下であって、
前記装着者の足の底部に沿う足底部と、
前記装着者の足の甲部に沿う足甲部と、
前記装着者の足の踵を受け入れる踵部とを備え、
前記踵部は、
本体部と、
前記本体部から前記足甲部に対して反対側に突出する突出部とを含み、
前記足甲部に前記足底部が重なる方向から見た前記突出部の面積は、前記靴下の幅方向の中心に対して、前記装着者の足の内側よりも外側が大きくなっている、靴下。
【請求項２】
前記足底部は、前記装着者の足の内側から外側に向かって、第１の足底部分と、前記第１の足底部分よりも厚みの小さい第２の足底部分とを含んでいる、請求項１に記載の靴下。
【請求項３】
前記第１の足底部分は前記靴下の幅方向の中心に対して前記装着者の足の内側に配置されている、請求項２に記載の靴下。
【請求項４】
前記足甲部に前記足底部が重なる方向から見た前記突出部の面積は、前記装着者の足の幅方向において前記装着者の足の踵骨の中央に対して、前記装着者の足の内側よりも外側が大きくなっている、請求項１〜３のいずれか１項に記載の靴下。
【請求項５】
前記突出部は、編み込まれた糸で形成されている、請求項１〜４のいずれか１項に記載の靴下。
【請求項６】
前記突出部は、前記本体部と連続して編み込まれることで前記本体部と一体に形成されている、請求項５に記載の靴下。
【発明の詳細な説明】
【技術分野】
【０００１】
本発明は、靴下に関するものである。
【背景技術】
【０００２】
従来、下肢の障害をサポートするために、各種サポーターが使用されている。これらのサポーターは障害にあわせて作成されており、障害のある部位を保護することを主な目的としている。また、たとえば特開２０１０−１９６２１５号公報（特許文献１）には、歩行をサポートするなどの押圧効果を得るために、足裏に突起部を設けた足被覆具が提案されている。
【先行技術文献】
【特許文献】
【０００３】
【特許文献１】特開２０１０−１９６２１５号公報
【発明の概要】
【発明が解決しようとする課題】
【０００４】
下肢の障害をサポートするためには、足が地面に接地する際の初期接地を安定させることが重要である。ここで初期接地とは足の踵が地面に接地してから足裏が地面に接地するまでの足の接地を意味している。この初期接地を安定させるためには、接地をいち早く足が感受し接地に対して必要な準備をすることが重要である。
【０００５】
しかし、上記のサポーターは障害が発生してから着用されるものであり、障害のある部位に着用されるものである。そのため、上記のサポーターでは、足が地面に接地する際の初期接地を安定させることは想定されていない。また、上記の公報に記載された足被覆具は歩行の際に足裏を突起部で押圧することにより足裏にかかる衝撃を吸収し疲れ難く歩き易いよう歩行をサポートするなどの押圧効果を得るためのものである。そのため、この足被覆具でも、足が地面に接地する際の初期接地を安定させることは想定されていない。
【０００６】
本発明は、上記の課題を鑑みてなされたものであり、その目的は、足が地面に接地する際の初期接地を安定させることができる靴下を提供することである。
【課題を解決するための手段】
【０００７】
本発明の靴下は、装着者の足に装着可能なものであって、装着者の足の底部に沿う足底部と、装着者の足の甲部に沿う足甲部と、装着者の足の踵を受け入れる踵部とを備えている。踵部は、本体部と、本体部から足甲部に対して反対側に突出する突出部とを含んでいる。足甲部に足底部が重なる方向から見た突出部の面積は、靴下の幅方向の中心に対して、装着者の足の内側よりも外側が大きくなっている。
【０００８】
本発明の靴下によれば、足甲部に足底部が重なる方向から見た突出部の面積は、靴下の幅方向の中心に対して、装着者の足の内側よりも外側が大きくなっているため、突出部は装着者の踵の外側に配置されている。歩行時においては装着者の足が地面に接地する際、装着者の踵の外側が最初に接地する。そして、踵には感覚刺激を受ける器官である固有受容器が多く存在している。したがって、装着者の足が地面に接地する際に、突出部がいち早く接地することで、装着者は突出部によって足が地面に接地したことをいち早く感受することができる。このため、接地に対して必要な準備をすることができる。これにより、装着者の足が地面に接地する際の初期接地を安定させることができる。
【０００９】
上記の靴下では、足底部は、装着者の足の内側から外側に向かって、第１の足底部分と、第１の足底部分よりも厚みの小さい第２の足底部分とを含んでいる。このため、足底部の厚みは装着者の足の内側が外側よりも大きくなる。したがって、装着者の足が外側から内側に倒れにくくなる。これにより、装着者の足が外側から内側に過剰に倒れることを抑制することができる。したがって、装着者の足が地面に接地する際の初期接地をさらに安定させることができる。
【００１０】
上記の靴下では、第１の足底部分は靴下の幅方向の中心に対して装着者の足の内側に配置されている。これにより、装着者の足が外側から内側に過剰に倒れることを効果的に抑制することができる。
【００１１】
上記の靴下では、足甲部に足底部が重なる方向から見た突出部の面積は、装着者の足の幅方向において装着者の足の踵骨の中央に対して、装着者の足の内側よりも外側が大きくなっている。このため、突出部は装着者の踵骨の中央よりも外側に配置されている。したがって、歩行時において最初に接地する踵の外側に突出部が配置されているため、装着者の足が地面に接地する際に、突出部がいち早く接地することで、装着者は突出部によって足が地面に接地することをいち早く感受することができる。このため、接地に対して必要な準備をすることができる。これにより、装着者の足が地面に接地する際の初期接地を安定させることができる。
【００１２】
上記の靴下では、突出部は、編み込まれた糸で形成されている。このため、突出部は伸縮することができる。そのため、接地時に突出部が縮むことで接地時の装着者の足への衝撃を緩和することができる。
【００１３】
上記の靴下では、突出部は、本体部と連続して編み込まれることで本体部と一体に形成されている。このため、突出部によって接地時の装着者の足への衝撃を緩和することができるとともに、本体部と突出部とを一体で形成することで生産性を高めることもできる。
【発明の効果】
【００１４】
以上説明したように、本発明の靴下によれば、足が地面に接地する際の初期接地を安定させることができる。
【図面の簡単な説明】
【００１５】
【図１】本発明の一実施の形態における靴下の概略底面図である。
【図２】本発明の一実施の形態における靴下の概略平面図である。
【図３】図１のＩＩＩ−ＩＩＩ線に沿う断面図である。
【図４】図１のＩＶ−ＩＶ線に沿う断面図である。
【図５】本発明の一実施の形態における靴下が人の右足に装着された状態での靴下と右足の足裏の骨および筋とを示す模式図である。
【図６】本発明の一実施の形態における靴下の踵部が地面に接地した状態を示す概略斜視図である。
【図７】本発明の一実施の形態における靴下の足裏が地面に接地した状態を示す概略斜視図である。
【図８】実施例および比較例の重心最大外方変位量を示す図である。
【図９】実施例および比較例の外方変移量と接地期間との関係を示す図である。
【図１０】歩行時の右足の接地状態を示す図であって、踵接地を示す図（ａ）と、足底接地を示す図（ｂ）と、中間接地を示す図（ｃ）と、踵離地を示す図（ｄ）と、足尖離地を示す図（ｅ）である。
【発明を実施するための形態】
【００１６】
以下、本発明の一実施の形態について図に基づいて説明する。なお、以下の図面において同一または相当する部分には同一の参照番号を付しその説明は繰り返さない。
【００１７】
最初に本発明の一実施の形態における靴下の構成について説明する。
図１および図２を参照して、本実施の形態の靴下は、装着者の足に装着可能に構成されている。靴下は、足底部１と、足甲部２と、踵部３と、先端部４と、足首部５と、足挿入部６とを主に有している。靴下の上記各部は同じ素材で形成されている。なお、靴下の上記各部の素材は互いに異なっていてもよい。靴下の上記各部の素材としてはたとえば綿、アクリル、ポリエステル、ポリウレタン、ナイロン、レイヨンが用いられる。また、靴下の上記各部は無縫製ニットで構成されている。
【００１８】
図１に示すように、靴下は、底面側から見ると、つまり足甲部２に足底部１が重なる方向から見ると、装着者の足の底部に沿う足底部１と、装着者の足の踵を受け入れる踵部３と、装着者の足趾を受け入れる先端部４と、装着者の足の足首を受け入れる足首部５と、装着者の足を挿入するための足挿入部６とを有している。図２に示すように、靴下は、平面側から見ると、つまり足底部１に足甲部２が重なる方向から見ると、装着者の足の甲部に沿う足甲部２と、先端部４と、足首部５と、足挿入部６とを有している。なお、先端部４は設けられていなくてもよい。つまり、足底部１および足甲部２が靴下の先端を構成し、足底部１および足甲部２から前方に装着者の足趾が突き出していてもよい。
【００１９】
図１に示すように、底面側から見て、足底部１は靴下の長さＬ方向の中央に配置されている。足底部１は装着者の足の土ふまず部分を覆うように構成されている。底面側から見た足底部１の長さ１Ｌはたとえば８５ｍｍである。図１および図３を参照して、足底部１は、装着者の足の内側から外側に向かって、第１の足底部分１１と、第１の足底部分１１よりも厚みの小さい第２の足底部分１２と、第２の足底部分１２よりも厚みの小さい第３の足底部分１３とを有している。第１の足底部分１１は靴下の幅Ｗ方向の中心Ｃ１に対して装着者の足の内側に配置されている。第１の足底部分１１および第２の足底部分１２は装着者の足の土ふまず部分のアーチを保持する機能を有している。これにより、装着者の足の立脚中期の安定性を得ることができる。
【００２０】
底面側から見て、第１の足底部分１１は略長方形状を有しており、その面積はたとえば９６４ｍｍ2である。第１の足底部分１１の長さ１１Ｌはたとえば４２ｍｍであり、第１の足底部分１１の厚みはたとえば６．７５ｍｍ以上７．３５ｍｍ以下である。また第２の足底部分１２の厚みはたとえば４．９ｍｍ以上６．３５ｍｍ以下である。また第３の足底部分１３の厚みはたとえば４．２ｍｍ以上５．２ｍｍ以下である。
【００２１】
図２に示すように、平面側から見て、足甲部２は装着者の足の内側に配置された内側部分２１と、内側部分２１の外側に配置された中央部分２２と、中央部分２２よりも外側に配置された外側部分２３とを有している。図３に示すように、内側部分２１および外側部分２３の厚みはたとえば２．５ｍｍであり、中央部分２２の厚みはたとえば２．１ｍｍである。
【００２２】
図１および図４を参照して、底面側から見て、足底部分１１の後方に踵部３が配置されている。踵部３の長さ３Ｌはたとえば４０ｍｍである。踵部３は、本体部３１と、本体部３１から足甲部２に対して反対側に突出する突出部３２とを有している。突出部３２は、編み込まれた糸で形成されている。また、突出部３２は、本体部３１と連続して編み込まれることで本体部３１と一体に形成されている。本体部３１の厚みはたとえば２．７ｍｍであり、突出部３２の厚みはたとえば７．１ｍｍである。
【００２３】
突出部３２はパッドとしてクッション機能を有している。底面側から見て突出部３２は靴下の幅Ｗ方向に長辺を有する楕円形状に形成されている。なお、突出部３２の形状は底面側から見て矩形形状に形成されていてもよい。足甲部２に足底部１が重なる方向から見た突出部３２の面積は、靴下の幅Ｗ方向の中心Ｃ１に対して、装着者の足の内側よりも外側が大きくなっている。このため、突出部３２は装着者の踵の外側に配置される。
【００２４】
底面側から見た突出部３２の長さ３２Ｌはたとえば２５ｍｍであり、幅３２Ｗはたとえば３０ｍｍである。また、突出部３２の内側における本体部３１の幅３１ＷＩはたとえば３５ｍｍであり、突出部３２の外側における本体部３１の幅３１ＷＯはたとえば１８ｍｍである。
【００２５】
底面側から見た突出部３２の面積はたとえば６４２ｍｍ2である。そして、靴下の幅Ｗ方向の中心Ｃ１に対する突出部３２の内側の面積３２ａはたとえば１９６ｍｍ2であり、外側の面積３２ｂはたとえば４４６ｍｍ2である。つまり、底面側から見た突出部３２の図心は靴下の幅Ｗ方向の中心Ｃ１よりも外側に位置している。
【００２６】
また、底面側から見た先端部４の長さ４Ｌはたとえば６９ｍｍであり、先端部４の厚みはたとえば２．１ｍｍである。
【００２７】
図５を参照して、足甲部２に足底部１が重なる方向から見た突出部３２の面積は、装着者の足の幅方向において装着者の足の踵骨Ｈの中央Ｃ２に対して、装着者の足の内側よりも外側が大きくなっている。このため、突出部３２は装着者の踵骨Ｈの中央Ｃ２よりも外側に配置される。
【００２８】
図６および図７を参照して、本発明の一実施の形態の靴下を装着した装着者の足が地面に接地する様子について説明する。
【００２９】
図６に示すように、本発明の一実施の形態の靴下を装着した装着者の歩行時において、装着者の踵が最初に地面に接地する。具体的には、装着者の足１００は踵の外側で地面２００に最初に接地する。より具体的には、装着者の足１００は踵骨の中央よりやや外側から地面２００に最初に接地する。
【００３０】
その後、図７に示すように、装着者の踵が地面に接地した状態で、装着者の足１００の足裏が外側から内側に倒れるように移動することで、装着者の足裏が地面２００に接地する。
【００３１】
踵は足裏の中でも固有受容器が多く存在する部分である。踵を受け入れる踵部３に突出部３２を設けることで、装着者の踵が地面に接地すると突出部３２を介して踵の固有受容器が刺激される。このため、接地をいち早く足が感受し、接地に対して必要な準備を可能にする。これにより、装着者の足１００の初期接地が安定する。
【００３２】
次に、本実施の形態の靴下の作用効果について説明する。
図１に示すように、本実施の形態の靴下によれば、足甲部２に足底部１が重なる方向から見た突出部３２の面積は、靴下の幅Ｗ方向の中心Ｃ１に対して、装着者の足の内側よりも外側が大きくなっているため、突出部３２は装着者の踵の外側に配置されている。このように、歩行時において最初に接地する踵の外側に突出部３２が配置されているため、図６に示すように、装着者の足１００が地面２００に接地する際に、突出部３２がいち早く接地することで、装着者は突出部３２によって足が地面に接地したことをいち早く感受することができる。このため、接地に対して必要な準備をすることができる。これにより、装着者の足１００が地面２００に接地する際の初期接地を安定させることができる。
【００３３】
すなわち、本実施の形態の靴下は、踵の固有受容器を突出部３２で刺激することによって装着者の足１００の本来の機能を発揮することで下肢の障害をサポートして快適な生活をおくることに貢献することができる。
【００３４】
また、図６および図７を参照して、歩行時において装着者が足１００の踵が地面２００に接地した後、足裏が接地するように足１００は外側から内側に倒れるように移動する。突出部３２が装着者の踵の外側に配置されているため、踵が接地してから足裏が接地するまでの足１００の外側から内側に倒れる動きがスムーズに行われる。これにより、装着者の足１００の地面２００への初期接地を安定させることができる。
【００３５】
図１および図３に示すように、本実施の形態の靴下では、足底部１は、装着者の足の内側から外側に向かって、第１の足底部分１１と、第１の足底部分１１よりも厚みの小さい第２の足底部分１２とを含んでいる。このため、足底部１の厚みは装着者の足の内側が外側よりも大きくなる。したがって、装着者の足１００が外側から内側に倒れにくくなる。これにより、装着者の足１００が外側から内側に過剰に倒れることを抑制することができる。したがって、装着者の足が地面に接地する際の初期接地をさらに安定させることができる。
【００３６】
図１に示すように本実施の形態の靴下では、第１の足底部分１１は靴下の幅Ｗ方向の中心Ｃ１に対して装着者の足１００の内側に配置されている。これにより、図７に示すように、装着者の足１００が外側から内側に過剰に倒れることを効果的に抑制することができる。
【００３７】
図５に示すように、本実施の形態の靴下では、足甲部２に足底部１が重なる方向から見た突出部３２の面積は、装着者の足の幅方向において装着者の足の踵骨Ｈの中央Ｃ２に対して、装着者の足の内側よりも外側が大きくなっている。このため、突出部３２は装着者の踵骨Ｈの中央よりも外側に配置されている。したがって、図６に示すように、歩行時において最初に接地する踵の外側に突出部３２が配置されているため、装着者の足１００が地面２００に接地する際に、突出部３２がいち早く接地することで、装着者は突出部３２によって足１００が地面２００に接地することをいち早く感受することができる。このため、接地に対して必要な準備をすることができる。これにより、装着者の足１００が地面２００に接地する際の初期接地を安定させることができる。
【００３８】
本実施の形態の靴下では、突出部３２は、編み込まれた糸で形成されているので、図６に示すように、接地時の装着者の足１００への衝撃を緩和することができる。
【００３９】
本実施の形態の靴下では、突出部３２は、本体部３１と連続して編み込まれることで本体部３１と一体に形成されている。このため、図６に示すように、突出部３２によって接地時の装着者の足１００への衝撃を緩和することができるとともに、本体部３１と突出部３２とを一体で形成することで生産性を高めることもできる。
【実施例】
【００４０】
以下、本発明の実施例について比較例と対比して説明する。
実施例および比較例の各々について、骨盤の側方変移量を測定して歩行中の安定性を評価した。実施例および比較例の各々について、三次元動作解析システムを用いて被験者の骨盤から右下肢に複数のマーカーを張り付け３次元動作解析を実施した。具体的には、実施例および比較例をそれぞれ装着した被験者が自然歩行速度（平均６．２ｋｍ／ｈ）で歩行し、左右上前腸骨棘と、後上腸骨棘中点の３点の重心位置を測定し、右足接地中における重心の最大外方変移量を測定した。実施例および比較例の各々について、上記の重心最大外方変移量を７回ずつ測定した。実施例は図１に示す靴下と同様の構成を有している。また比較例は通常のランニングソックスである。つまり、比較例は実施例の突出部を有していない。
【００４１】
【表１】
2014237911.tif 000003
【００４２】
表１および図８を参照して、実施例および比較例の各々について、７回の重心最大外方変移量の平均値を算出した。その結果、実施例の重心最大外方変移量の平均値は３６．９８ｍｍとなり、比較例の重心最大外方変移量の平均値は４２．６１ｍｍとなった。これより、実施例は比較例よりも重心最大外方変移量が小さくなることがわかった。重心最大外方変移量が小さいほど重心の外方への変移量が小さいため接地が安定しているといえる。したがって、実施例は比較例よりも接地が安定していることがわかった。
【００４３】
図９および図１０を参照して、重心最大外方変移量についてさらに説明する。図９では実施例および比較例の各々の７回の重心外方変移量の平均値を図示している。図９では、右足１００が接地して離れるまでの接地期間における重心外方変移量を示している。図１０（ａ）〜（ｅ）では、歩行時の右足１００の接地状態を示している。図１０（ａ）に示すように、右足１００の踵が接地したときを「踵接地」と定義する。図１０（ｂ）に示すように、右足１００の足底が接地したときを「足底接地」と定義する。図１０（ｃ）に示すように、右足１００の足底が接地しつつ右足の踵が離れるまでを「中間接地」と定義する。図１０（ｄ）に示すように右足１００の踵が離れたときを「踵離地」と定義する。図１０（ｅ）に示すように右足１００のつま先が離れたときを「足尖離地」と定義する。
【００４４】
図９に示すように、右足が接地して離れるまでの接地期間について、踵接地がゼロとなり、足底接地が約２５％となり、中間接地が約５０％となり、踵離地が約６５％となり、足尖離地が１００％なる。実施例および比較例ともに足底接地と踵離地との間の中間接地において重心外方変移量は最大となった。この最大の重心外方変移量が上記の重心最大外方変移量である。
【００４５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００４６】
１  足底部、２  足甲部、３  踵部、４  先端部、５  足首部、６  足挿入部、１１  第１の足底部分、１２  第２の足底部分、１３  第３の足底部分、２１  内側部分、２２  中央部分、２３  外側部分、３１  本体部、３２  突出部、１００  足、２００  地面、Ｃ１  中心、Ｃ２  中央、Ｈ  踵骨。
【図１】
2014237911.tif 000004
【図２】
2014237911.tif 000005
【図３】
2014237911.tif 000006
【図４】
2014237911.tif 000007
【図５】
2014237911.tif 000008
【図６】
2014237911.tif 000009
【図７】
2014237911.tif 000010
【図８】
2014237911.tif 000011
【図９】
2014237911.tif 000012
【図１０】
2014237911.tif 000013